【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
インターネットに接続して使用する電子カルテに宣伝用枠を設け、コマーシャル料を確保すると共に、医師には電子カルテを無料でインターネット上から提供するというコマーシャル・カルテ。
【請求項２】
電子カルテを画面に取り出した時や病名を入力した時に、予め電子カルテシステムのホームページ上に登録されている中から、入力された病名を効能とする薬剤や関連する医材・検査等の宣伝用フォームだけを抽出し、該当する各宣伝用フォームを画面上に表示する、請求項１記載のコマーシャル・カルテ。
【請求項３】
他に禁忌な病名を有している、或いは禁忌な薬剤を投薬中の場合は、その薬剤の宣伝用フォームを表示しない、請求項１又は２記載のコマーシャル・カルテ。
【請求項４】
医師が電子カルテ入力を全くしない状態で一定時間経過すると、次に何らかの入力イベントが発生する迄の間、電子カルテ画面を、特定患者の病名に関連しない薬剤・医材・検査等の宣伝の画面に切り替え、表示するコマーシャル・カルテ。
【手続補正２】
【補正対象書類名】明細書
【補正対象項目名】全文
【補正方法】変更
【補正の内容】
【発明の詳細な説明】
【発明の名称】コマーシャル・カルテ
【技術分野】
【０００１】
本発明は、医師に対して、ピンポイントのタイミングで薬剤（取引者・需要者の間で医薬品として取り扱われ、取引の対象になっている薬品を意味する。以下同様）・医材・検査等の宣伝を行う為のコンピュータシステムに関する。
【背景技術】
【０００２】
医師による手書きカルテを基に、そのデータをキーパンチャーがコンピュータに入力して請求書を作成していた時代があった。しかし今や、電子カルテの出現によって、医師が直接カルテのデータをコンピュータに入力することが可能になった。
【０００３】
従来、製薬会社を初めとする医療関係者にとって、何らかの伝達・宣伝をするのに、医師の診療時間中は最も好タイミングであるにも関わらず、不可侵の領域であった。
【０００４】
電子カルテへの入力作業を効率化する、というのではなく、電子カルテをいかに活用するかについては、特開2005-196394・特開2003-271739・特開2003-256571・特開2003-153864・特開2000-276538のように、電子カルテに入力された情報の共有や、特開2004-038910・特開2001-142999・特開2001-101329・特開2000-067139・特開平11-353404・特開平10-177605のように、診察の支援が考案されてはいる。しかし、診療時間中が医療関係者にとって不可侵の領域である、ということを解決する、電子カルテの活用方法は、未だ考案されていない。
【特許文献１】特開2005-196394
【特許文献２】特開2003-271739
【特許文献３】特開2003-256571
【特許文献４】特開2003-153864
【特許文献５】特開2000-276538
【特許文献６】特開2004-038910
【特許文献７】特開2001-142999
【特許文献８】特開2001-101329
【特許文献９】特開2000-067139
【特許文献１０】特開平11-353404
【特許文献１１】特開平10-177605
【発明の開示】
【発明が解決しようとする課題】
【０００５】
医師に対して、ピンポイントのタイミングで薬剤・医材・検査等の宣伝を行う。
【課題を解決するための手段】
【０００６】
インターネットに接続して使用する電子カルテに宣伝用枠を設け、コマーシャル料を確保すると共に、医師には電子カルテを無料でインターネット上から提供するというコマーシャル・カルテを発明した。
【０００７】
先述の、医師によって直接入力するという電子カルテの特性を生かし、図１のように、医師が治療を開始する矢先に、入力された病名に呼応して、薬剤・医材・検査等に関する宣伝枠が電子カルテ画面上に表示されるコンピュータシステムを発明した。
【０００８】
更に、上記0007において、他に禁忌な病名を有している、或いは禁忌な薬剤を投薬中の場合は、その宣伝用フォームを表示しない、又は警告する措置を自動的にとる機能も付与した。
【０００９】
また、図１のように、医師が電子カルテ入力を全く行わない状態で一定時間経過すると、次に何らかの入力イベントが発生する迄の間、電子カルテ画面を、特定患者の病名を意識しない薬剤・医材・検査等の宣伝の画面に切り替え、表示するコンピュータシステムを発明した。
【発明の効果】
【００１０】
製薬会社を初めとする医療関係者にとっては、自社製品を効率よく宣伝できるのは大きな利点といえ、このコンピュータシステムが、延いては医療費のコストダウンに貢献する可能性も考えられる。また、製薬会社から医療機関に対して、薬効・併用薬・副作用等を含む質の高い情報提供がピンポイントのタイミングで頻繁になされることで、医療サービスにおける質の向上の一助ともなりうる。
【発明を実施するための最良の形態】
【００１１】
図２・図３のように、電子カルテの画面上部・或いは左側４分の１程度を外枠とし、それを6分割して内枠とする。図１のように、待機メモリーのソートキーの第一項において、入力したばかりを「０」とし、その他は「１」と設定しておく。入力されたばかりの病名を薬効とする製品を、図２・図3中「スポット１」から順に表示する。
【００１２】
宣伝主は、宣伝したい薬剤・医材・検査等の名称、その効能にあたる病名、服薬にあたっての禁忌の病名・薬剤等、例えば以下に示すような内容を、予め電子カルテソフト提供側に情報提供する。電子カルテソフト提供側は、これを宣伝プログラムのデータとして暗号化し、電子カルテソフト同様にホームページ上に登録しておく。
１．インターネットアドレス
２．薬剤コード
３．薬剤名
４．会社名
５．薬効・・・連続する３文字以上の病名を、最高３個まで登録する。
６．薬剤一般名称
７．禁忌病名・・・連続する３文字以上の病名を、最高５個まで登録する。
８．禁忌薬剤・・・薬剤一般名称を、最高５個まで登録する。
９．投薬上の注意事項
【００１３】
宣伝主はそれぞれのホームページ上の上記１．インターネットアドレス上に予め決められた範囲での宣伝用フォームを作成し、それをアップロードしておく。
【実施例】
【００１４】
まず、この電子カルテのソフトをインターネット上に上げ、各医療機関が無料でダウンロードして使用できるようにし、普及を図る。それと並行して宣伝主を公募する。宣伝主・宣伝内容が、特定企業、特定薬剤・医材・検査等に偏らないことを旨とする。
【００１５】
電子カルテ画面には、図２又は３のように、画面上部から順に患者コード、患者氏名、患者住所、保険番号等が記載され、その下に診察年月日、病名、処置・療法、処置・療法の点数及び患者負担金額が記載される。
【００１６】
図２には、電子カルテ画面上部4分の1に掲載する宣伝用枠の例を、図3には電子カルテ画面左側4分の1に掲載する宣伝用枠の例を示している。
【００１７】
以下、カルテが読み出されたときから、宣伝枠が掲載されるまでの流れについて図１に沿って詳述する。
【００１８】
まずカルテを読み出し、患者に治療中の病名があれば、予め登録されている宣伝予約薬剤・医材・検査等の名称を読み込む。病名がなければ、終了する。
【００１９】
読み込んだ宣伝予約薬剤・医材・検査等の中から、薬効が病名にヒットするか漢字3文字×3セットを順にコンピュータが検索する。ヒットしなければ、上記の作業を繰り返す。
【００２０】
薬効が病名にヒットすれば、さらにその中に禁忌病名をもつか、禁忌薬剤を投薬中か、調べる。禁忌病名、禁忌薬剤のいずれかがあれば、上記の作業を繰り返す。
【００２１】
禁忌病名と禁忌薬剤が無ければ、その宣伝予約薬剤・医材・検査等が既に待機中メモリーにあるか確認して、既にあれば、上記の作業を繰り返す。
【００２２】
待機中メモリーにその宣伝予約薬剤・医材・検査等が無ければ、その宣伝予約薬剤・医材・検査等を待機中メモリーに積み込む。入力中のものならばkeyを0に、その他は1とし、入力中のものが第一スポットに入るようにkeyをセットする。
【００２３】
宣伝予約の終わりか確認し、終わりでなければ上記の作業を繰り返す。
【００２４】
宣伝予約の終わりであれば、病名の終わりか確認する。病名の終わりでない場合は上記の作業を繰り返す。
【００２５】
病名の終わりであれば、待機メモリーを、コマーシャルカウントをKEYに昇順でSORTする。このソートキーは、任意で変えられる。特定企業・特定内容に偏った宣伝を防ぐため、病名別ヒットカウントをキーにする等コマーシャルカウントを付け、ヒットする回数に大きな差を生じさせない。
【００２６】
待機中メモリーの中から、該当する薬剤・医材・検査等のインターネットアドレスにあるファイルを、指定された範囲のボックス内に表示する。
【００２７】
表示した薬剤・医材・検査等のコマーシャルカウントを１つ積み上げてコマーシャルファイルに格納する。
【００２８】
宣伝用枠が満たされるまで上記0026、0027の作業を繰り返す。
【００２９】
同一薬効に係る、異なる製薬会社の薬剤名称を複数登録して、効果的なディスプレイを企図することも可能である。もちろん同一薬剤で複数のスポット画面宣伝を行うことも出来る。
【００３０】
入力が行われない状態で一分経過した時、特定患者の病名に関連しない薬剤・医材・検査等の宣伝が電子カルテ画面全体に掲載される。
【図面の簡単な説明】
【００３１】
【図１】カルテが読み出されたときから、宣伝枠が掲載されるまでの流れについて説明した図。
【図２】電子カルテ画面上部４分の１に掲載する宣伝用枠を例示した図。
【図３】電子カルテ画面左側４分の１に掲載する宣伝用枠を例示した図。